(57)【要約】  【課題】  ユーザに届く音（スピーカからの音）の音圧や音質を向上することのできる決済端末装置を提供する。  【解決手段】  決済端末装置１は、決済用の操作部４または表示部５を上面に有する筐体２と、筐体２の下面に配置され決済用の操作または表示に伴う音を出すスピーカ９と、筐体２の下面から立設されスピーカ９からの音を反射する音反射面１０を有するディフューザ１１と、を備える。音反射面１０は、スピーカ９からの音の音軸に対して外向きに傾斜している。決済端末装置１の筐体２の下面のスピーカ９からの音は、筐体２の下面のディフューザ１１の音反射面１０によって外向きに反射される。【選択図】  図１
2010011204.tif 000002
【特許請求の範囲】
【請求項１】
決済用の操作部または表示部を上面に有する筐体と、
前記筐体の下面に配置され、決済用の操作または表示に伴う音を出すスピーカと、
前記筐体の下面から立設され、前記スピーカからの音を反射する音反射面を有するディフューザと、
を備え、
前記音反射面は、前記スピーカからの音の音軸に対して外向きに傾斜していることを特徴とする決済端末装置。
【請求項２】
前記音反射面は、中央部分より外側部分のほうが前記音軸に対する外向きの傾斜が大きいカーブ面を有することを特徴とする請求項１に記載の決済端末装置。
【請求項３】
前記音反射面と前記スピーカとの間の距離は、前記スピーカからの音の１／２波長の整数倍以外の長さに設定されていることを特徴とする請求項１または請求項２に記載の決済端末装置。
【請求項４】
前記ディフューザの側方に配置され、前記スピーカからの音を通すための音通し部を備えたことを特徴とする請求項１ないし請求項３のいずれかに記載の決済端末装置。
【請求項５】
前記スピーカは、前記筐体の下面に形成された斜面部に配置されており、
前記斜面部は、前記ディフューザに向けて前記スピーカが傾くように傾斜していることを特徴とする請求項１ないし請求項４のいずれかに記載の決済端末装置。
【請求項６】
前記斜面部の傾斜の角度は、前記スピーカから出た音が前記筐体の設置床面で反射して前記ディフューザへ向かう角度に設定されていることを特徴とする請求項５に記載の決済端末装置。
【請求項７】
前記音反射面の傾斜の角度は、前記スピーカから出て前記設置床面で反射した音が前記音通し部へ向けて反射する角度に設定されていることを特徴とする請求項６に記載の決済端末装置。
【発明の詳細な説明】
【技術分野】
【０００１】
本発明は、筐体の下面にスピーカが配置された決済端末装置に関するものである。
【背景技術】
【０００２】
従来、店舗などのカウンターなどに設置される決済端末装置として、ＩＣカードや携帯電話機等と非接触通信を行うことにより決済処理（支払い処理）をする機能を備えた決済端末装置が知られている（例えば特許文献１参照）。
【０００３】
決済端末装置には、スピーカが備えられており、決済処理のための操作（ＩＣカード等からのデータ読取り、テンキーからのデータ入力など）や、決済処理のための表示（決済処理結果の表示、決済処理エラーの表示など）が行われる際に、スピーカが音（効果音）を発し、その操作や表示が行われたことがユーザに通知される。
【特許文献１】特開２００８−９６８１号公報
【発明の開示】
【発明が解決しようとする課題】
【０００４】
決済端末装置は、店舗などのカウンターに設置されるものであるため、できるだけ小型化されることが好ましい。しかし、決済端末装置の上面には、操作部（入力部）や表示部などを配置する必要があり、決済端末装置の上面にスピーカを設けるためのスペースを確保すると、決済端末装置の小型化が困難である。そこで、決済端末装置の下面にスピーカを単に配置することも考えられるが、その場合には、ユーザに届く音の大きさ（音圧）や品質（音質）を保つことが困難であるという問題があった。
【０００５】
本発明は、上記従来の問題を解決するためになされたもので、筐体の下面に配置されたスピーカからの音の音圧や音質を向上した決済端末装置を提供することを目的とする。
【課題を解決するための手段】
【０００６】
本発明の決済端末装置は、決済用の操作部または表示部を上面に有する筐体と、前記筐体の下面に配置され、決済用の操作または表示に伴う音を出すスピーカと、前記筐体の下面から立設され、前記スピーカからの音を反射する音反射面を有するディフューザと、を備え、前記音反射面は、前記スピーカからの音の音軸に対して外向きに傾斜している構成を有している。
【０００７】
この構成により、決済端末装置の筐体の下面のスピーカからの音は、筐体の下面のディフューザの音反射面によって外向きに反射される。これにより、ユーザに届く音の音圧を上げることができ、音質の明瞭度を高めることができる。
【０００８】
また、本発明の決済端末装置では、前記音反射面は、中央部分より外側部分のほうが前記音軸に対する外向きの傾斜が大きいカーブ面を有する構成を有している。
【０００９】
この構成により、スピーカからの音が、カーブ面によって様々な方向に（広範囲に）拡散される。これにより、音反射面で反射されてユーザに届く音（スピーカからの音）の音圧や音質が向上する。
【００１０】
また、本発明の決済端末装置では、前記音反射面と前記スピーカとの間の距離は、前記スピーカからの音の１／２波長の整数倍以外の長さに設定されている構成を有している。
【００１１】
この構成により、スピーカと音反射面との間で共振が発生するのを抑えることができる。これにより、音反射面で反射されてユーザに届く音（スピーカからの音）の音圧や音質が向上する。
【００１２】
また、本発明の決済端末装置は、前記ディフューザの側方に配置され、前記スピーカからの音を通すための音通し部を備えた構成を有している。
【００１３】
この構成により、ディフューザの音反射面で反射された音が、音通し部を通って外部へ伝達されるようになる。これにより、音反射面で反射されてユーザに届く音（スピーカからの音）の音圧や音質が向上する。
【００１４】
また、本発明の決済端末装置では、前記スピーカは、前記筐体の下面に形成された斜面部に配置されており、前記斜面部は、前記ディフューザに向けて前記スピーカが傾くように傾斜している構成を有している。
【００１５】
この構成により、スピーカからの音がディフューザに向けられるようになり、ディフューザの音反射面で反射する音の量が多くなる。これにより、音反射面で反射されてユーザに届く音（スピーカからの音）の音圧や音質が向上する。
【００１６】
また、本発明の決済端末装置では、前記斜面部の傾斜の角度は、前記スピーカから出た音が前記筐体の設置床面で反射して前記ディフューザへ向かう角度に設定されている構成を有している。
【００１７】
この構成により、スピーカからの音が設置床面で反射してディフューザに向けられるようになり、ディフューザの音反射面で反射する音の量が多くなる。これにより、音反射面で反射されてユーザに届く音（スピーカからの音）の音圧や音質が向上する。
【００１８】
また、本発明の決済端末装置では、前記音反射面の傾斜の角度は、前記スピーカから出て前記設置床面で反射した音が前記音通し部へ向けて反射する角度に設定されている構成を有している。
【００１９】
この構成により、設置床面で反射された後にディフューザの音反射面で反射された音が、音通し部を通って外部へ伝達されるようになる。これにより、音反射面で反射されてユーザに届く音（スピーカからの音）の音圧や音質が向上する。
【発明の効果】
【００２０】
本発明は、筐体の下面のスピーカからの音を外向きに反射する音反射面を有するディフューザを設けることにより、ユーザに届く音（スピーカからの音）の音圧や音質を向上することができるという効果を有する決済端末装置を提供することができるものである。
【発明を実施するための最良の形態】
【００２１】
以下、本発明の実施の形態の決済端末装置について、図面を用いて説明する。本実施の形態では、店舗のカウンターなどに設置され、接触型ＩＣカードや非接触型ＩＣカードや携帯電話機などを用いた決済処理等に用いられる決済端末装置の場合を例示する。
【００２２】
本発明の実施の形態の決済端末装置の構成を、図１〜図４を用いて説明する。図１は、本実施の形態の決済端末装置の斜視図であり、図２は、決済端末装置を裏側からみたときの斜視図である。また、図３は、決済端末装置の側断面図であり、図４は、決済端末装置の裏面図である。
【００２３】
図１に示すように、決済端末装置１の筐体２の上面には、決済処理時に接触型ＩＣカードを挿入するためのカード挿入部３と、決済処理の操作を行うための操作部４と、決済処理時に非接触型ＩＣカード等をかざすためのかざし部７と、決済処理に関する情報の表示が行われる表示部８が設けられている。操作部４は、例えばテンキーなどで構成されており、操作部４の周囲には、入力操作を第三者の目から秘匿するためのセキュリティカバー６が取り付けられている。なお、この決済端末装置１は、カード挿入部３に挿入された接触型ＩＣカードからデータを読み取って決済処理をする機能のほかに、非接触型ＩＣカードや携帯電話機等をかざし部７にかざして非接触通信を行うことによりデータを読み取って決済処理をする機能も備えている。
【００２４】
図２に示すように、決済端末装置１の筐体２の下面には、決済処理の操作や表示に伴う音（効果音）を出すスピーカ９と、スピーカ９からの音を反射する音反射面１０を有するディフューザ１１（拡散板）が設けられている。このディフューザ１１は、筐体２の下面から下方向（図２における上方向、図３における下方向）に向けて立設されている。また、このディフューザ１１の音反射面１０は、スピーカ９からの音の音軸（音の中心軸）に対して外向きに傾斜しており、この外向きの傾斜によってスピーカ９からの音を左右両側に向けて反射する（拡散する）ように構成されている（図４参照）。この音反射面１０は、中央部分よりも外側部分（左右両側部分）のほうが外向きの傾斜が大きくなるようにカーブしている。つまり、この音反射面１０は、中央部分よりも外側部分のほうが外向きの傾斜が大きいカーブ面を有しているともいえる。また、この場合、音反射面１０とスピーカ９との間の距離は、スピーカ９からの音の１／２波長の整数倍ではない長さに設定されている。
【００２５】
図３に示すように、スピーカ９は、筐体２の下面に形成された斜面部１２に配置されており、この斜面部１２は、スピーカ９がディフューザ１１に向けて傾くように傾斜している。この場合、斜面部１２の傾斜の角度は、図３において矢印で示すように、スピーカ９から出た音が決済端末装置１の設置床面で反射してディフューザ１１へ向かうような角度に設定されている。また、決済端末装置１の筐体２の下面には、４つの脚部１３が設けられており、決済端末装置１の設置床面とスピーカ９との間には、スピーカ９からの音を反射するための隙間が確保されている。この場合、スピーカ９と設置床面との間の距離も、スピーカ９からの音の１／２波長の整数倍ではない長さに設定されている。
【００２６】
図４に示すように、ディフューザ１１の側方（図４における上下側）には、音反射面１０で反射した音（スピーカ９からの音）を通すための音通し部１４が設けられている。そして、音反射面１０の外向きの傾斜の角度は、図４において矢印で示すように、スピーカ９から出て設置床面で反射した音が音通し部１４に向けて反射するような角度に設定されている。
【００２７】
以上のように構成された決済端末装置１について、図３および図４を用いてその動作を説明する。ここでは、本発明における特徴的な動作として、スピーカ９から出た音がディフューザ１１で反射（拡散）するときの様子を説明する。
【００２８】
本発明の実施の形態の決済端末装置１を用いて、ユーザ（顧客または店員）が決済処理の操作を行うと、その決済処理の操作や表示に伴う音（効果音）がスピーカ９から発せられる。図３において矢印で示すように、スピーカ９から出た音は、決済端末装置１の設置床面で反射してディフューザ１１へ向かい、図４において矢印で示すように、ディフューザ１１の音反射面１０で反射（拡散）して、音通し部１４を通って外部へと放射される。
【００２９】
このような本発明の実施の形態の決済端末装置１によれば、筐体２の下面のスピーカ９からの音を外向きに反射する音反射面１０を有するディフューザ１１を設けることにより、ユーザに届く音（スピーカ９からの音）の音圧や音質を向上することができる。
【００３０】
すなわち、本実施の形態では、決済端末装置１の筐体２の下面のスピーカ９からの音は、筐体２の下面のディフューザ１１の音反射面１０によって外向きに反射される。これにより、ユーザに届く音の音圧を上げることができ、音質の明瞭度を高めることができる。
【００３１】
また、本実施の形態では、スピーカ９からの音が、ディフューザ１１の音反射面１０（カーブ面）によって様々な方向に（広範囲に）拡散される。これにより、音反射面１０で反射されてユーザに届く音（スピーカ９からの音）の音圧や音質が向上する。
【００３２】
また、本実施の形態では、スピーカ９と音反射面１０との間の距離がスピーカ９の音の１／２波長にならないように設定されているので、スピーカ９と音反射面１０との間で共振が発生するのを抑えることができる。これにより、音反射面１０で反射されてユーザに届く音（スピーカ９からの音）の音圧や音質が向上する。
【００３３】
また、本実施の形態では、ディフューザ１１の音反射面１０で反射された音が、音通し部１４を通って外部へ伝達されるようになる。これにより、音反射面１０で反射されてユーザに届く音（スピーカ９からの音）の音圧や音質が向上する。
【００３４】
また、本実施の形態では、スピーカ９が斜面部１２に設けられているので、スピーカ９からの音がディフューザ１１に向けられるようになり、ディフューザ１１の音反射面１０で反射する音の量が多くなる。これにより、音反射面１０で反射されてユーザに届く音（スピーカ９からの音）の音圧や音質が向上する。
【００３５】
また、本実施の形態では、スピーカ９が設けられる斜面部１２の傾斜の角度が調節されており、スピーカ９からの音が設置床面で反射してディフューザ１１に向けられるので、ディフューザ１１の音反射面１０で反射する音の量が多くなる。これにより、音反射面１０で反射されてユーザに届く音（スピーカ９からの音）の音圧や音質が向上する。
【００３６】
また、本実施の形態では、音反射面１０の外向きの傾斜の角度が調節されており、設置床面で反射された後にディフューザ１１の音反射面１０で反射された音が、音通し部１４を通って外部へ伝達されるようになる。これにより、音反射面１０で反射されてユーザに届く音（スピーカ９からの音）の音圧や音質が向上する。
【００３７】
以上、本発明の実施の形態を例示により説明したが、本発明の範囲はこれらに限定されるものではなく、請求項に記載された範囲内において目的に応じて変更・変形することが可能である。
【産業上の利用可能性】
【００３８】
以上のように、本発明にかかる決済端末装置は、ユーザに届く音（スピーカからの音）の音圧や音質を向上することができるという効果を有し、店舗のカウンターなどに設置され、接触型ＩＣカードや非接触型ＩＣカード、携帯電話機などを用いた決済処理に用いられる決済端末装置等として有用である。
【図面の簡単な説明】
【００３９】
【図１】本実施の形態における決済端末装置の斜視図
【図２】本実施の形態における決済端末装置の裏側の斜視図
【図３】本実施の形態における決済端末装置の側断面図
【図４】本実施の形態における決済端末装置の裏面図
【符号の説明】
【００４０】
１  決済端末装置
２  筐体
４  操作部
７  かざし部
８  表示部
９  スピーカ
１０  音反射面
１１  ディフューザ
１２  斜面部
１４  音通し部
【図１】
2010011204.tif 000003
【図２】
2010011204.tif 000004
【図３】
2010011204.tif 000005
【図４】
2010011204.tif 000006